(57)【要約】【課題】枠体に固定される宅配ボックスを備える建具において、宅配ボックスの室内側に延出する部分の意匠性を向上させることができる構成を提供すること。【解決手段】建具１は、縦枠３１，３２、横枠３３，３４及び方立３５を有する枠体３０と、枠体３０の内側で方立３５の左右一側に配置される戸体２０と、枠体３０の内側で方立３５の左右他側に配置され、開口部１０１を有する袖部１０と、開口部１０１に配置され、枠体３０に固定される宅配ボックス６０と、を備える。宅配ボックス６０は、投入口６０１が室外側に形成されるとともに枠体３０より見込方向室内側に延出する箱状の本体部６１と、本体部６１の室内側の面を覆う化粧カバー６７０と、を有する。【選択図】図８
2019127741.tif 000002
【特許請求の範囲】
【請求項１】
縦枠、横枠及び方立を有する枠体と、
前記枠体の内側で前記方立の左右一側に配置される戸体と、
前記枠体の内側で前記方立の左右他側に配置され、開口部を有する袖部と、
前記開口部に配置され、前記枠体に固定される宅配ボックスと、
を備え、
前記宅配ボックスは、
投入口が室外側に形成されるとともに前記枠体より見込方向室内側に延出する箱状の本体部と、
前記本体部の室内側の面を覆う化粧カバーと、
を有する建具。
【請求項２】
前記本体部は、前記枠体より室内側が開閉不能に構成され、前記投入口には開閉可能な扉が設けられる請求項１に記載の建具。
【請求項３】
前記化粧カバーは、その下端部が前記本体部に装着された状態で床から浮いた状態となるように構成される請求項１又は２に記載の建具。
【発明の詳細な説明】
【技術分野】
【０００１】
本発明は、宅配ボックスを備える建具に関する。
【背景技術】
【０００２】
従来、不在時に宅配物を受け取るための宅配ボックスにおいて、玄関ドアの袖部に配置される建具と一体型のものが知られている。この種の建具を記載するものとして例えば特許文献１がある。特許文献１には、玄関ドア枠内における袖面に郵便物投入口に加えて配達物投入扉を設けた建具について記載されている。
【先行技術文献】
【特許文献】
【０００３】
【特許文献１】実全昭６１−０９４１７４号公報
【発明の概要】
【発明が解決しようとする課題】
【０００４】
特許文献１に記載されるような宅配ボックスが玄関ドアの枠体に固定される構成では、室内側に延出した宅配ボックスの本体部が室内側で露出した状態となる。枠体と宅配ボッスクの質感の違いが目立ったり、枠体と宅配ボックスの接続部分の構造が室内側から見えたりするおそれがあり、従来の構成には意匠性の向上という観点で改善の余地があった。
【０００５】
本発明は、枠体に固定される宅配ボックスを備える建具において、宅配ボックスの室内側に延出する部分の意匠性を向上させることができる構成を提供することを目的とする。
【課題を解決するための手段】
【０００６】
本発明は、縦枠（例えば、後述の縦枠３１，３２）、横枠（例えば、後述の横枠３３，３４）及び方立（例えば、後述の方立３５）を有する枠体（例えば、後述の枠体３０）と、前記枠体の内側で前記方立の左右一側に配置される戸体（例えば、後述の戸体２０）と、前記枠体の内側で前記方立の左右他側に配置され、開口部（例えば、後述の開口部１０１）を有する袖部（例えば、後述の袖部１０）と、前記開口部に配置され、前記枠体に固定される宅配ボックス（例えば、後述の宅配ボックス６０）と、を備え、前記宅配ボックスは、投入口（例えば、後述の投入口６０１）が室外側に形成されるとともに前記枠体より見込方向室内側に延出する箱状の本体部（例えば、後述の本体部６１）と、前記本体部の室内側の面を覆う化粧カバー（例えば、後述の化粧カバー６７０）と、を有する建具（例えば、後述の建具１）に関する。
【０００７】
前記本体部は、前記枠体より室内側が開閉不能に構成され、前記投入口には開閉可能な扉（例えば、後述の扉６２）が設けられることが好ましい。
【０００８】
前記化粧カバーは、その下端部が前記本体部に装着された状態で床から浮いた状態となるように構成されることが好ましい。
【発明の効果】
【０００９】
本発明の建具によれば、枠体に固定される宅配ボックスの室内側に延出する部分の意匠性を向上させることができる。
【図面の簡単な説明】
【００１０】
【図１】本発明の一実施形態に係る建具を室外側から見た図である。
【図２】本実施形態の建具における袖部の縦断面図である。
【図３】本実施形態の建具における上部の横断面図である。
【図４】本実施形態の建具における下部の横断面図である。
【図５】本実施形態の宅配ボックスの扉が開いた状態を示す斜視図である。
【図６】本実施形態の建具の宅配ボックスが取り付けられる前の状態を室内側から示す斜視図である。
【図７】本実施形態の宅配ボックスに固定される上面取付プレート及び側面取付プレートを示す斜視図である。
【図８】本実施形態の建具に取り付けられた宅配ボックスの化粧カバー装着前の様子を室内側から見た斜視図である。
【図９】本実施形態の建具に取り付けられた宅配ボックスの化粧カバー装着後の様子を室内側から見た斜視図である。
【発明を実施するための形態】
【００１１】
以下、本発明の好ましい実施形態について、図面を参照しながら説明する。図１は、本実施形態に係る建具１の正面図である。図２は、建具１における袖部１０の縦断面図である。図３は、建具１における上部の横断面図であり、図４は、建具の下部の横断面図である。なお、以下の説明で左右方向は、図１を正面としたときの左右方向である。
【００１２】
図１〜図４に示す建具１は、枠体３０と、戸体２０と、袖部１０と、を備える玄関ドアである。
【００１３】
枠体３０は、建具１の四周を構成するともに、戸体２０と袖部１０の間を仕切るものである。枠体３０は、一対の縦枠３１、３２と、一対の横枠３３、３４と、方立３５と、無目３６と、を備える。
【００１４】
一対の縦枠３１、３２は、建具の左右方向における一方と他方の端部に配置される。一方の縦枠３１は、袖部１０の側方に、他方の縦枠３２は、戸体２０の側方に配置される。一対の横枠３３、３４は、建具の上下に配置される。一対の縦枠３１、３２及び一対の横枠３３、３４が建具１の四周を形成する。
【００１５】
方立３５は、枠体３０の内側を左右一側と左右他側に区画する。方立３５によって区画された左右一側に戸体２０が配置され、左右他側に袖部１０が配置される。無目３６は、縦枠３１と方立３５の間に配置される。無目３６によって袖部１０が上下に区画される。方立３５における戸体２０側の見込面には保持片３６８が形成され、この保持片３６８が閉鎖位置の戸体２０に見込方向で当接する室外側気密材３６９を支持する。
【００１６】
戸体２０は、枠体３０に対して開閉可能に取り付けられており、建具１の出入口を構成する。本実施形態の戸体２０は、縦枠３２に複数のヒンジ３２０を介して回転可能に支持される。縦枠３２におけるヒンジ３２０が固定される見込面には、保持片３２２が形成される。保持片３２２は、閉鎖位置の戸体２０に見込方向で当接するクッション材３２１を支持する。
【００１７】
袖部１０は、その上部に採光パネル１２が配置され、下部に宅配ボックス６０が配置される開口部１０１を有する。
【００１８】
採光パネル１２は、光を透過する部材によって構成される。本実施形態の採光パネル１２は、室外側パネル１２ａと室内側パネル１２ｂがスペーサー１２ｃを介して離間するように配置される複層ガラス（ガラス面材）である。
【００１９】
採光パネル１２を保持する構成について説明する。図２に示すように、採光パネル１２の上部は、横枠３３の下側に配置される上部保持部材３３１によって保持される。上部保持部材３３１の下部は採光パネル１２の上部が差し込まれるガラス溝となっている。上部保持部材３３１には、室外側気密材３３２及び室内側気密材３３３が配置されており、採光パネル１２は、その上部が見込方向で室外側気密材３３２と室内側気密材３３３に挟み込まれた状態で保持される。
【００２０】
採光パネル１２の下部は、無目３６の上部に形成される下部保持部３６１よって保持される。下部保持部３６１は、その上部がガラス溝となっており、上部保持部材３３１と同様に、室外側気密材３６２と室内側気密材３６３が配置される。採光パネル１２は、その下部が見込方向で室外側気密材３６２と室内側気密材３６３に挟み込まれた状態で保持される。また、下部保持部３６１の内側には採光パネル１２を下から支持するセッティングブロック３６４が配置される。
【００２１】
図３に示すように、採光パネル１２は、左右方向一側の側部が方立３５によって保持されるとともに、左右方向他側の側部が縦枠３１によって保持される。
【００２２】
方立３５の袖部１０側の見込面には室外側保持片３５１及び室内側延出片３５２が形成される。また、方立３５の見込面における室外側保持片３５１と室内側延出片３５２の間には、室内側係合部材３５３を係合するための係合片３５７が形成される。室内側係合部材３５３は、その室内側の部位が室内側延出片３５２に係合されるとともに室外側端部が係合片３５７に係合される。室外側保持片３５１と室内側係合部材３５３によってガラス溝が形成され、該ガラス溝の内側にはセッティングブロック３５６が配置される。また、室外側保持片３５１は、方立３５の本体部分から見付方向の縦枠３１側に延びた後、見込方向室内側に屈曲するように形成される。室外側保持片３５１の先端には室外側気密材３５４が配置される。室内側係合部材３５３は、見付方向の縦枠３１側に延びた後、見込方向室外側に屈曲するように形成され、その先端には室内側気密材３５５が配置される。採光パネル１２は、その方立３５側の側部が見込方向で室外側気密材３５４と室内側気密材３５５に挟み込まれた状態で保持される。方立３５の室外側保持片３５１及び室内側延出片３５２は、方立３５の本体部分の室外側面３５ａ及び室内側面３５ｂよりも見込方向内側で袖部１０側に突出する。このため、方立３５の室外側面３５ａには、袖部１０側で室内側に窪むような段差が形成される。
【００２３】
縦枠３１の袖部１０側の見込面には室外側保持片３１１及び室内側延出片３１２が形成される。また、縦枠３１の見込面における室外側保持片３１１と室内側延出片３１２の間には、室内側係合部材３１３を係合するための係合片３１７が形成される。室内側係合部材３１３は、その室内側の部位が室内側延出片３１２に係合されるとともに室外側端部が係合片３１７に係合される。室外側保持片３１１と室内側係合部材３１３によってガラス溝が形成され、該ガラス溝の内側にはセッティングブロック３１６が配置される。また、室外側保持片３１１は、縦枠３１の本体部分から見付方向の方立３５側に延びた後、見込方向室内側に屈曲するように形成される。室外側保持片３１１の先端には室外側気密材３１４が配置される。室内側係合部材３１３は、見付方向の縦枠３１側に延びた後、見込方向室外側に屈曲するように形成され、その先端には室内側気密材３１５が配置される。採光パネル１２は、その縦枠３１側の側部が見込方向で室外側気密材３１４と室内側気密材３１５に挟み込まれた状態で保持される。縦枠３１の室外側保持片３１１及び室内側延出片３１２は、方立３５の室外側保持片３５１及び室内側延出片３５２とそれぞれ向かい合う位置に配置される。室外側保持片３１１及び室内側延出片３１２は、縦枠３１の本体部分の室内側面３１ａ及び室外側面３１ｂよりも見込方向内側で袖部１０側に突出する。このため、縦枠３１の室外側面３１ｂには、袖部１０側で室内側に窪むような段差が形成される。この段差は、方立３５側で形成される段差と対称な位置で形成される。
【００２４】
室外側気密材３３２、３６２、３５４、３１４は、何れも先付ビードであり、ゴム等の弾性変形可能な部材によって構成される。室内側気密材３３３，３６３，３５５，３１５も、弾性変形可能な部材によって構成される。
【００２５】
宅配ボックス６０は、無目３６を挟んで採光パネル１２の下方に位置する。宅配ボックス６０は、宅配物等を収容可能な空間を有する本体部６１と、本体部６１に対して開閉可能に取り付けられる扉６２と、本体部６１の室内側の面を覆う化粧カバー６７０と、を主要な構成として備える。
【００２６】
図５は、本実施形態の宅配ボックス６０の扉が開いた状態を示す斜視図である。図５に示すように、本体部６１は、枠体３０に固定された状態で室外側に取出口を兼ねる投入口６０１が形成される（図５参照）。本体部６１の投入口６０１が扉６２によって閉鎖されることにより、宅配ボックス６０の内部が外部から隔てられる。扉６２は、本体部６１における縦枠３１側に開閉可能に支持されている。扉６２の方立３５側に位置する戸先側が手掛け部６２１となっている。また、扉６２には、暗証番号を入力する操作部６２２やロック機構６２３等の機能部品が配置される。
【００２７】
次に、宅配ボックス６０の取付構造について説明する。図６は、本実施形態の建具１の宅配ボックス６０が取り付けられる前の状態を室内側から示す斜視図である。図７は、本実施形態の宅配ボックス６０に固定される上面取付プレート７０、側面取付プレート７１，７２及び脚部６５を示す分解斜視図である。図８は、本実施形態の建具１に取り付けられた宅配ボックス６０の化粧カバー６７０装着前の様子を室内側から見た斜視図である。図９は、本実施形態の建具１に取り付けられた宅配ボックス６０の化粧カバー６７０装着後の様子を室内側から見た斜視図である。
【００２８】
図７〜図９に示すように、本実施形態の宅配ボックス６０には、本体部６１の上面に配置される上面取付プレート７０と、本体部６１の左右両側の側面にそれぞれ配置される側面取付プレート７１，７２と、が配置される。
【００２９】
図２に示すように、上面取付プレート７０は、本体部６１の上面に固定される固定面７００と、固定面７００の室外側端部から上方に屈曲する室外側見付面部７０１と、固定面７００の室内側端部から上方に屈曲した後、見込方向室外側に延びて下方に折り返す当接部７０２と、を備える。図７に示すように、ネジ等の締結部材７０５が固定面７００を貫通して本体部６１に固定されることで上面取付プレート７０が本体部６１に固定される。
【００３０】
無目３６の下面には室外側保持片３６５及び室内側延出片３６６が形成されている。室外側保持片３６５は、無目３６の本体部分から下方に延出した後、見込方向室内側に屈曲する。室外側保持片３６５の先端には、室外側気密材３６７が固定される。宅配ボックス６０が袖部１０に固定された状態では、上面取付プレート７０の室外側見付面部７０１が、室外側気密材３６７に見込方向で接触するとともに当接部７０２の室外側の見付面７０３が室内側延出片３６６に対向する状態となる。無目３６は、縦枠３１及び方立３５よりも室内側に奥まっており、段差状になっている。当接部７０２は、宅配ボックス６０が固定された状態で、その室内側の面が縦枠３１及び方立３５の室内側の面と面一になる形状に構成される。
【００３１】
図４に示すように、側面取付プレート７１は、本体部６１の側面に固定される固定面７１０と、固定面７１０の室外側端部から縦枠３１側に屈曲する室外側見付面部７１１と、固定面７１０の室内側端部から縦枠３１側に延出した後、見込方向室外側に延び、更に本体部６１側に折り返す当接部７１２と、を備える。図７に示すように、ネジ等の締結部材７０５が固定面７１０を貫通して本体部６１に固定されることで側面取付プレート７１が本体部６１に固定される。
【００３２】
宅配ボックス６０が袖部１０に固定された状態では、側面取付プレート７１の室外側見付面部７１１が、縦枠３１の室外側保持片３１１の室外側気密材３１４に見込方向で接触するとともに当接部７１２の室外側の見付面７１３が室内側延出片３５２に対向する状態となる。図８に示すように、当接部７１２の室内側面には貫通孔７２５が上下方向に間隔をあけて複数形成される。この貫通孔７２５を通じてリベット等の締結部材７１６が当接部７１２の室外側の見付面を貫通して縦枠３１の室外側保持片３１１に締結される。貫通孔７２５にはカバー部材７３０が配置され、締結部材７１６が室内側からも見えない位置となっている。
【００３３】
側面取付プレート７２は、本体部６１の側面に固定される固定面７２０と、固定面７２０の室外側端部から方立３５側に屈曲する室外側見付面部７２１と、固定面７２０の室内側端部から方立３５側に延出した後、見込方向室外側に延び、更に本体部６１側に折り返す当接部７２２と、を備える。図７に示すように、ネジ等の締結部材７０５が固定面７２０を貫通して本体部６１に固定されることで側面取付プレート７２が本体部６１に固定される。
【００３４】
宅配ボックス６０が袖部１０に固定された状態では、側面取付プレート７２の室外側見付面部７２１が、方立３５の室外側保持片３５１の室外側気密材３５４に見込方向で接触するとともに当接部７２２の室外側の見付面７２３が室内側延出片３５２に対向する状態となる。当接部７２２の室内側面には貫通孔７２５が上下方向に間隔をあけて複数形成される。この貫通孔７２５を通じてネジ等の締結部材７２６が当接部７２２の室外側の見付面を貫通して方立３５の室外側保持片３５１に締結される。貫通孔７２５にはカバー部材７３０が配置され、締結部材７１６が室内側からも見えない位置となっている。
【００３５】
宅配ボックス６０の下面６０５は、横枠３４の上側に配置される下部保持部材３４１によって保持される。下部保持部材３４１の上部は溝状になっている。下部保持部材３４１の室外側上部には室外側気密材３４５が配置される。本体部６１の室外側は、この室外側気密材３４５を介して下から支持される。
【００３６】
次に、化粧カバー６７０の構成について説明する。化粧カバー６７０は、箱状に構成されており、本体部６１の室内側に取り付けられる。
【００３７】
本実施形態の化粧カバー６７０は、本体部６１の上面を覆う天板６７１と、本体部６１の背面を覆う背板６７２と、本体部６１の側面を覆う左右の側板６７３，６７４と、から構成されており、見込方向室外側及び下端が開口する箱状になっている。
【００３８】
天板６７１は本体部６１の上面よりも大きな面積を有する。同様に、背板６７２も本体部６１の背面６６１よりも大きな面積を有し、左右一側の側板６７３は本体部６１の左右一側の側面６６２よりも大きな面積を有し、左右他側の側板６７４は本体部６１の左右他側の側面６６３よりも大きな面積を有する。従って、化粧カバー６７０によって本体部６１の下面６０５以外の室内側の面（天面６６０、背面６６１及び側面６６２，６６３）が覆われた状態となる。本実施形態では、天板６７１、背板６７２及び側板６７３，６７４は、ネジ等の締結部材を用いた締結固定、接着剤を用いた接着固定又はその両方を用いる等、適宜の方法で互いに連結されている。
【００３９】
化粧カバー６７０は、本体部６１の室内側の面に覆い被さった状態で当該本体部６１に固定される。固定方法としては、例えば、化粧カバー６７０の天板６７１の下面が本体部６１の天面６６０に両面テープにより接着固定したり、本体部６１の内部から化粧カバー６７０の天板６７１に向かってネジ等の締結部材によって締結固定したりすることができる。このように、化粧カバー６７０の固定方法は、接着剤や両面テープ等による接着固定、ネジ等による機械的固定、又はその両方による固定等、適宜の方法を採用することができる。
【００４０】
次に、宅配ボックス６０における宅配物の取出方法について説明する。本実施形態の宅配ボックス６０は、本体部６１の室内側が化粧カバー６７０に覆われており、取出口が形成されていない。そのため、扉６２を開いたときのみ投入口６０１を通じて宅配ボックス６０の本体部６１の内部にアクセスできるようになっている。
【００４１】
以上説明した上記実施形態によれば、以下のような効果を奏する。
建具１は、縦枠３１，３２、横枠３３，３４及び方立３５を有する枠体３０と、枠体３０の内側で方立３５の左右一側に配置される戸体２０と、枠体３０の内側で方立３５の左右他側に配置され、開口部１０１を有する袖部１０と、開口部１０１に配置され、枠体３０に固定される宅配ボックス６０と、を備える。宅配ボックス６０は、投入口６０１が室外側に形成されるとともに枠体３０より見込方向室内側に延出する箱状の本体部６１と、本体部６１の室内側の面を覆う化粧カバー６７０と、を有する。
【００４２】
これにより、本体部６１の室内側の面を化粧カバー６７０によって覆うことができるので、基本構造は同じ宅配ボックス６０を用いつつ、宅配ボックス６０を備える建具１の意匠性を向上させることができる。また、宅配ボックス６０の本体部６１と枠体３０の接続部分を化粧カバー６７０で隠すこともできる。また、建物や建具１のデザインに応じて化粧カバー６７０を選定することができる。例えば、枠体３０の外表面が木目模様の場合において、宅配ボックス６０の本体部６１がアルミや鉄等の金属製で枠体３０との意匠性の統一性がない場合であっても、化粧カバー６７０の外表面を木目模様とすることもできる。あるいは、化粧カバー６７０の外表面を玄関の壁等のデザインに合わせて選択することもできる。
【００４３】
また、本実施形態の本体部６１は、枠体３０より室内側が開閉不能に構成され、投入口６０１には開閉可能な扉６２が設けられる。
【００４４】
これにより、本体部６１における枠体３０の室内側が閉じられているので、悪意のある第三者が扉６２を開いたとしても、投入口６０１を通じて室内側に手や器具を差し入れたりすることができない構造となっている。そして、本体部６１の室内側に取出口が形成されない構造なので、取出口を避ける必要なく、化粧カバー６７０で本体部６１の室内側の見える範囲の略全面を覆うことができる。
【００４５】
また、本実施形態の化粧カバー６７０は、その下端部が本体部６１に装着された状態で床から浮いた状態となるように構成される。
【００４６】
これにより、本体部６１の天面６６０に化粧カバー６７０を置いても、化粧カバー６７０の下端部が床に設置して本体部６１に対して浮き上がることもなく、本体部６１によって化粧カバー６７０を安定的に支持させることができる。
【００４７】
以上、本発明の好ましい実施形態について説明したが、本発明は、上述の実施形態に制限されるものではなく、適宜変更が可能である。
【００４８】
上記実施形態では、下端部が開放された構成の化粧カバー６７０の例を示したがこの構成に限定されない。例えば、上記実施形態の構成の化粧カバー６７０が底部を更に備え、見込方向室内側から室外側の向きで本体部６１に装着される構成としてもよい。また、左右方向の側面のうち、建物の壁側に対向する面を省略する構成としてもよい。このように、化粧カバーの構成は、事情に応じて適宜変更することができる。
【００４９】
上記実施形態では、化粧カバー６７０が宅配ボックス６０の本体部６１に固定される構成であったが、この構成に限定されない。例えば、枠体に化粧カバーを固定したり、建物の壁に化粧カバーを固定したりしてもよい。このように、化粧カバーの固定対象も事情に応じて適宜変更することができる。
【００５０】
上記実施形態の袖部１０は、採光パネル１２を有する固定式であるが、袖部の構成はこの構成に限定されない。例えば、枠体に対して袖部が開閉可能な子扉として構成してもよい。
【符号の説明】
【００５１】
１  建具
１０  袖部
２０  戸体
３０  枠体
３１，３２  縦枠
３３，３４  横枠
３５  方立
６０  宅配ボックス
６１  本体部
６２  扉
１０１  開口部
６７０  化粧カバー
【図１】
2019127741.tif 000003
【図２】
2019127741.tif 000004
【図３】
2019127741.tif 000005
【図４】
2019127741.tif 000006
【図５】
2019127741.tif 000007
【図６】
2019127741.tif 000008
【図７】
2019127741.tif 000009
【図８】
2019127741.tif 000010
【図９】
2019127741.tif 000011